(57)【要約】【課題】製造設備費用が嵩むことなく、しかも、磁気記録媒体の製品情報を磁気記録媒体に個別に確実に印すことができること。【解決手段】テクスチャ加工用ヘッド２２が領域２４ＰＡにおける半径Ｒ２の位置の円周の真上となる位置まで移動せしめられ一旦停止された後、マスタコントローラ１４は、領域２４ＰＡに形成されるべき磁気記録媒体２４の個別の製造番号を表すドット配列のデータに基づいてレーザパルスを変調させるべく、所定のプログラムに従いレーザパルス間隔を演算し、制御信号Ｃｆを形成しそれをレーザ加工ヘッドコントローラ１８に供給するとともに、ドット配列を構成するバンプの相互間隔をあらわすデータに基づいてスピンドルモータ２６の出力軸の回転数を演算し、制御信号Ｃｓを形成しそれをスピンドルモータコントローラ２０に供給するもの。【選択図】図１
2013004142.tif 000002
【特許請求の範囲】
【請求項１】
テクスチャ加工用ヘッドからのレーザービームを、回転せしめられる磁気記録媒体用基板における接触起動停止領域に対し照射することにより、複数のバンプを該接触起動停止領域に縦横に形成する工程と、
前記テクスチャ加工用ヘッドからのレーザービームを、回転せしめられる前記磁気記録媒体用基板における前記接触起動停止領域とクランプ領域との間に形成される製品情報領域に対し該磁気記録媒体用基板の個別の製品情報をあらわすデータに基づいて前記レーザービームを変調し照射し、前記個別の製品情報に対応する複数のバンプを該製品情報領域において所定の間隔で共通の円周上に形成する工程と、
を含んでなる磁気記録媒体の製造方法。
【請求項２】
請求項１に記載された磁気記録媒体の製造方法により記録された前記磁気記録媒体用基板の個別の製品情報をあらわす複数のバンプに対し前記テクスチャ加工用ヘッドから照射され反射されたレーザービームの反射光を検出し検出出力を送出する反射光検知器と、
前記反射光検知器からの検出出力を解析する反射光解析器と、
を含んで構成される磁気記録媒体の製品情報を読み取る読取装置。
【発明の詳細な説明】
【技術分野】
【０００１】
本発明は、磁気記録媒体の製造方法、および、磁気記録媒体の製品情報を読み取る読取装置に関する。
【背景技術】
【０００２】
磁気記憶装置に使用する部品である記録媒体等の履歴管理は、一層の高度化が求められており、例えば、品質マネジメント規格（ＩＳＯ９００１）においてもトレーサビリティ（追跡可能性）が強く要求されている。
【０００３】
個々の記録媒体においては、出荷する以前の製造ラインに供給されるときも、例えば、製造年月日、その記録媒体に使用された材料等をあらわす文字情報を、記録媒体一枚ごとにその記録媒体の外面に付すことが求められる。
【０００４】
例えば、特許文献１にも示されるように、レーザービームがプラスチック成形品である記録媒体用基板の外面に照射されることにより、記録媒体用基板の内径および外径の加工と同時に上述の文字情報の印字加工を行うことが提案されている。また、試験後の記録媒体の最内周部（クランプエリア）に、製品番号等の刻印をレーザービームによって行う事例も見られた。しかし、クランプ領域への刻印によるクランプ精度の低下や、出荷試験後の製品である記録媒体に追加加工を施した際に発生する飛散物による信頼性劣化、工程追加によるコスト高が問題となるので現在この方式は用いられていない。
【０００５】
そこで、例えば、特許文献２にも示されるように、刻印装置における所定のレーザービームを用いることにより、アルミニウム製基板からなる磁気ディスク媒体の磁性部の最インナー部（刻印エリア）に、製造条件をあらわす品質情報をバーコードとして刻印するとともに、発生した溶融飛散物をその刻印装置に設けられたダクトにより捕集することが提案されている。上述の磁性部の最インナー部（刻印エリア）は、クランプエリアの周辺とされている。
【０００６】
また、記録媒体においては、例えば、特許文献３にも示されるように、記録媒体における接触起動停止領域（以下、ＣＳＳ領域ともいう）に対し、複数のバンプを所定間隔で形成するテクスチャ加工を行うにあたり、レーザテクスチャ装置が用いられている。
【先行技術文献】
【特許文献】
【０００７】
【特許文献１】特開平２−２８０９８３号公報
【特許文献２】特開平５−２０５４４２号公報
【特許文献３】特開２０００−８４６８２号公報
【発明の概要】
【発明が解決しようとする課題】
【０００８】
特許文献２に示されるように、刻印装置により、製造条件をあらわす品質情報をバーコードとして刻印する場合、発生した溶融飛散物を捕集するダクト等の捕集装置が、その刻印装置に必要とされるので製造設備費用が嵩むこととなり得策ではない。
【０００９】
そこで、記録媒体の製品情報が、記録媒体を収納する収納ケース自体に製品情報をあらわすバーコードで付されるものが提案されている。
【００１０】
しかし、記録媒体が上述のような収納ケースに保管されている間、その記録媒体に関するトレーサビリティを確保できるが、記録媒体が収納ケースから取り出された場合、取り出された個々の記録媒体を識別する方法はなくなってしまい、トレーサビリティを確保できないという問題がある。
【００１１】
以上の問題点を考慮し、本発明は、磁気記録媒体の製造方法、および、磁気記録媒体の製品情報を読み取る読取装置であって、製造設備費用が嵩むことなく、しかも、磁気記録媒体の製品情報を磁気記録媒体自体に個別に確実に印すことができる磁気記録媒体の製造方法、および、磁気記録媒体の製品情報を読み取る読取装置を提供することを目的とする。
【課題を解決するための手段】
【００１２】
上述の目的を達成するために、本発明に係る磁気記録媒体の製造方法は、テクスチャ加工用ヘッドからのレーザービームを、回転せしめられる磁気記録媒体用基板における接触起動停止領域に対し照射することにより、複数のバンプを該接触起動停止領域に縦横に形成する工程と、テクスチャ加工用ヘッドからのレーザービームを、回転せしめられる磁気記録媒体用基板における接触起動停止領域とクランプ領域との間に形成される製品情報領域に対し磁気記録媒体用基板の個別の製品情報をあらわすデータに基づいてレーザービームを変調し照射し、個別の製品情報に対応する複数のバンプを製品情報領域において所定の間隔で共通の円周上に形成する工程と、を含んでなる。
【００１３】
また、本発明に係る磁気記録媒体の製品情報を読み取る読取装置は、上述の磁気記録媒体の製造方法により記録された磁気記録媒体用基板の個別の製品情報をあらわす複数のバンプに対しテクスチャ加工用ヘッドから照射され反射されたレーザービームの反射光を検出し検出出力を送出する反射光検知器と、反射光検知器からの検出出力を解析する反射光解析器と、を含んで構成される。
【発明の効果】
【００１４】
本発明に係る磁気記録媒体の製造方法、および、磁気記録媒体の製品情報を読み取る読取装置によれば、テクスチャ加工用ヘッドからのレーザービームを、回転せしめられる磁気記録媒体用基板における接触起動停止領域とクランプ領域との間に形成される製品情報領域に対し磁気記録媒体用基板の個別の製品情報をあらわすデータに基づいてレーザービームを変調し照射し、個別の製品情報に対応する複数のバンプを製品情報領域において所定の間隔で共通の円周上に形成するので、ヘッドディスクインターフェイス（ＨＤＩ）が確立した製造方法を用いて製品情報を磁気記録媒体に付加することができる。このため、磁気記録媒体の信頼性を毀損することがなく、さらには、製造設備費用が嵩むことなく、しかも、磁気記録媒体の製品情報を磁気記録媒体自体に個別に確実に印すことができる。
【図面の簡単な説明】
【００１５】
【図１】本発明に係る磁気記録媒体の製造方法の一例が適用された磁気記録媒体の表面に形成されたバンプの配列を部分的に拡大して示す平面図である。
【図２】本発明に係る磁気記録媒体の製造方法の一例が適用されたレーザテクスチャ装置の構成を示すブロック図である。
【図３】本発明に係る磁気記録媒体の製造方法の一例が適用された磁気記録媒体における各記録領域を示す平面図である。
【図４】図３におけるＧ部を拡大して示す部分拡大図である。
【発明を実施するための形態】
【００１６】
図２は、本発明に係る磁気記録媒体の製造方法の一例において用いられるレーザテクスチャ装置の構成を概略的に示す。
【００１７】
本発明に係る磁気記録媒体の製造方法の一例が適用される磁気記録媒体２４は、例えば、図３に示されるように、その中央部に所定の孔２４ａを有するアルミニウム製の円盤状基板の表面に所定の膜厚のＮｉ−Ｐメッキが施されたものとされる。磁気記録媒体２４の外径および厚さは、それぞれ、９５ｍｍ、１．２７ｍｍに設定されている。また、磁気記録媒体２４は、表面の不純物を除去するための洗浄が施されている。図３において、磁気記録媒体２４における半径Ｒ４の位置から半径Ｒ５の位置までの環状の記録領域２４ＤＡ内にデータが書き込まれ、また、読み出し可能とされる。記録領域２４ＤＡの半径Ｒ４の位置よりも内側の領域であって孔２４ａの周辺となる半径Ｒ６の位置から半径Ｒ７の位置までの間に形成される環状の領域２４ＣＳは、所謂、ＣＳＳ領域とされ、レーザテクスチャ加工が施される。さらに、孔２４ａの周縁から半径Ｒ１の位置までの環状の領域が、図示が省略されるクランプ機構により把持されるクランプ領域２４ＣＡとされる。加えて、後述する磁気記録媒体２４の製品情報が記録される製品情報領域２４ＰＡが、領域２４ＣＳと上述のクランプ領域２４ＣＡとの間であって、半径Ｒ１の位置よりも１６ｕｍ大なる所定の半径Ｒ２の位置の円周上に、所定の幅で環状に形成されている。
【００１８】
磁気記録媒体２４は、図２に示されるように、レーザテクスチャ装置におけるスピンドルモータ２６の出力軸に連結されるチャック機構（不図示）により、クランプ領域２４ＣＡが把持される。これにより、磁気記録媒体２４の領域２４ＣＳの表面が、スピンドルモータ２６の出力軸の軸線に直交するように配置される。従って、磁気記録媒体２４の領域２４ＣＳの表面は、後述するレーザパルスＬＢを照射するテクスチャ加工用ヘッド２２の下端面に対向することとなる。
【００１９】
図２において、レーザテクスチャ装置は、レーザパルスＬＢを磁気記録媒体２４の領域２４ＣＳまたは製品情報領域２４ＰＡに照射するテクスチャ加工用ヘッド２２を備えている。磁気記録媒体２４の領域２４ＣＳまたは製品情報領域２４ＰＡに複数個のバンプを形成するテクスチャ加工用ヘッド２２は、レーザパルスＬＢを形成し出射するパルスレーザ発振器２２Ｇと、パルスレーザ発振器２２ＧからのレーザパルスＬＢの光量を所定の値に調整する光量調整部２２Ｒと、対物レンズユニットの焦点位置を磁気記録媒体２４の表面に位置するように調整するオートフォーカス機構２２Ｆとを主な要素として含んで構成されている。
【００２０】
パルスレーザ発振器２２Ｇは、例えば、波長１０６４ｎｍのＮｄ：ＹＶＯ４レーザのレーザパルスを形成するものとされる。パルスレーザ発振器２２Ｇのレーザ出力は、例えば、発振周波数を制御することにより行われる。レーザパルスＬＢのパルス間隔は、例えば、後述するレーザ加工ヘッドコントローラ１８からの制御信号ＤＨｐに基づいて励起源がパルス制御されることにより、制御される。レーザー発振周波数は、例えば、３００ｋＨｚに設定され、レーザーパワー（出力）は、例えば、７Ｗに設定される。
【００２１】
光量調整部２２Ｒは、例えば、ＮＤフィルタおよび光偏向器等を含んで構成され、後述するレーザ加工ヘッドコントローラ１８からの光量調整信号ＤＨｂに基づいて制御される。
【００２２】
オートフォーカス機構２２Ｆは、後述するレーザ加工ヘッドコントローラ１８からの焦点調整信号ＤＨｆに基づいて制御される。これにより、所定のスポット径、例えば、８ｕｍのバンプが磁気記録媒体２４の領域２４ＣＳおよび製品情報領域２４ＰＡの表面に形成されるように、対物レンズユニットにおける対物レンズの焦点位置が制御される。
【００２３】
スピンドルモータ２６は、後述するスピードコントローラ２０からの駆動制御パルス信号Ｄｐに基づいて回転数制御される。
【００２４】
また、テクスチャ加工用ヘッド２２は、リニアステージ２８に移動可能に支持されている。リニアステージ２８は、その具体的な構成の説明が省略されるが、後述するヘッドドライブコントローラ１６からの駆動制御信号ＤＬに基づいてテクスチャ加工用ヘッド２２から出射したレーザパルスＬＢの磁気記録媒体２４の表面に対する相対位置を、図２における矢印の示す方向、即ち、磁気記録媒体２４における半径方向に沿って移動させるものである。
【００２５】
なお、磁気記録媒体２４の表面に形成される複数個のバンプの相互間隔は、例えば、スピンドルモータ２６の出力軸の回転数およびレーザパルスＬＢのパルス間隔に基づいて設定される。また、その各バンプの高さは、例えば、レーザパルスＬＢのスポット径およびレーザ出力に基づいて設定される。
【００２６】
上述のレーザテクスチャ装置は、斯かる構成に加えて、図２に示されるように、マスタコントローラ１４を備えている。
【００２７】
マスタコントローラ１４は、後述する複数の磁気記録媒体２４に関する個別の製造情報、例えば、製造番号をあらわすデータ、テクスチャ加工におけるバンプの相互間隔、バンプの高さ等をあらわすデータ、製造番号をあらわすデータに対応するバンプ径、バンプの相互間隔等をあらわすデータ、ヘッドドライブコントローラ１６、レーザ加工ヘッドコントローラ１８、および、スピンドルモータコントローラ２０の動作制御用プログラムをあらわすデータ等を格納するデータ記憶部１４Ｍを備えるものとされる。
【００２８】
また、マスタコントローラ１４には、スピンドルモータ２６の出力軸の回転数を検出する回転数センサ１２からの検出出力信号Ｓｒ、指令操作部１０からの各磁気記録媒体２４にそれぞれ対応する製造情報を印すように指令する指令信号ＰＳまたは所定のレーザテクスチャ加工を行うように指令する指令信号ＰＴが供給される。
【００２９】
マスタコントローラ１４は、指令操作部１０からの指令信号ＰＴが供給される場合、チャック機構によりクランプ領域２４ＣＡが支持された磁気記録媒体２４における上述の領域２４ＣＳに対しレーザテクスチャ加工を行うべく、リニアステージ２８に、テクスチャ加工用ヘッド２２を領域２４ＣＳの真上となる所定位置までの移動動作を行わせるように制御信号Ｃｄを形成し、それをヘッドドライブコントローラ１６に供給する。これにより、ヘッドドライブコントローラ１６は、制御信号Ｃｄに基づいて駆動制御信号ＤＬを形成し、リニアステージ２８の駆動部に供給する。従って、テクスチャ加工用ヘッド２２が、領域２４ＣＳにおける半径Ｒ６の位置の円周の真上となる位置まで移動せしめられ一旦停止される。
【００３０】
次に、マスタコントローラ１４は、領域２４ＣＳに形成されるべきバンプの相互間隔をあらわすデータに基づいて所定のプログラムに従いレーザパルス間隔を演算し、制御信号Ｃｆを形成しそれをレーザ加工ヘッドコントローラ１８に供給するとともに、バンプの相互間隔をあらわすデータに基づいてスピンドルモータ２６の出力軸の回転数を演算し、制御信号Ｃｓを形成しそれをスピンドルモータコントローラ２０に供給する。また、マスタコントローラ１４は、バンプの高さをあらわすデータに基づいて所定のプログラムに従いレーザのスポット径およびレーザ出力（光量）を演算し、制御信号ＣｖおよびＣｏを形成しそれらをレーザ加工ヘッドコントローラ１８に供給する。これにより、スピンドルモータコントローラ２０は、制御信号Ｃｓに基づいて所定の回転数で回転させるべく駆動制御パルス信号Ｄｐを形成しそれをスピンドルモータ２６に供給する。
【００３１】
また、レーザ加工ヘッドコントローラ１８は、制御信号Ｃｆに基づいてレーザパルスＬＢのパルス間隔を制御すべく、駆動制御パルス信号ＤＨｐをパルスレーザ発振器２２Ｇに供給する。レーザ加工ヘッドコントローラ１８は、制御信号ＣｏおよびＣｖに基づいてレーザのスポット径を所定の値に制御すべく、焦点調整信号ＤＨｆをオートフォーカス機構２２Ｆに供給するとともに、磁気記録媒体２４の表面に到達する光量を所定の一定の値にすべく、光量調整信号ＤＨｂを光量調整部２２Ｒに供給する。
【００３２】
これにより、テクスチャ加工用ヘッド２２は、領域２４ＣＳ内で半径方向外方に向かって所定の速度で移動せしめられるとともに、図１および図４に拡大されて示されるように、スポット径８ｕｍおよび高さ８０（オングストローム）を有するバンプ２４Ｂａｉ（ｉ＝１〜ｎ，ｎは正の整数）を所定の等間隔で、例えば、１６ｕｍの間隔で所定の数量だけ縦横に形成するように、レーザパルスＬＢを照射する。なお、図１において、バンプ２４Ｂａｉは、矢印Ｃの示す円周方向、および、矢印Ｒの示す半径方向に中心間距離が１６ｕｍとなるように領域２４ＣＳ内に形成される。なお、磁気記録媒体２４の回転数を一定に設定する場合は、異なる半径位置において周速が異なることになる。従って、バンプ２４Ｂａｉを円周方向に等間隔に形成するために、半径位置に応じてレーザパルスＬＢのパルス間隔を調整、もしくは周速を一定にするためにスピンドルモータの回転数を制御して良く、あるいは領域２４ＣＳを半径方向に複数の領域に分割して各領域毎にレーザパルスＬＢのパルス間隔を調整しても良い。あるいは、バンプ２４Ｂａｉの間隔を円周方向と半径方向で異なる間隔に設定しても良い。
【００３３】
続いて、マスタコントローラ１４は、指令操作部１０からの各磁気記録媒体２４にそれぞれ対応する製造情報を印すように指令する指令信号ＰＳが供給される場合、チャック機構によりクランプ領域２４ＣＡが支持された磁気記録媒体２４における上述の領域２４ＰＡに対し製造情報をあらわすドット配列を形成すべく、リニアステージ２８に、テクスチャ加工用ヘッド２２を領域２４ＰＡの真上となる所定位置までの移動動作を行わせるように制御信号Ｃｄを形成し、それをヘッドドライブコントローラ１６に供給する。これにより、ヘッドドライブコントローラ１６は、制御信号Ｃｄに基づいて駆動制御信号ＤＬを形成し、リニアステージ２８の駆動部に供給する。従って、テクスチャ加工用ヘッド２２が領域２４ＰＡにおける半径Ｒ２の位置の円周の真上となる位置まで移動せしめられ一旦停止される。
【００３４】
次に、マスタコントローラ１４は、領域２４ＰＡに形成されるべき磁気記録媒体２４の個別の製造情報、例えば、個別の製造番号を表すドット配列のデータに基づいてレーザパルスを変調させるべく、所定のプログラムに従いレーザパルス間隔を演算し、制御信号Ｃｆを形成しそれをレーザ加工ヘッドコントローラ１８に供給するとともに、ドット配列を構成するバンプの相互間隔をあらわすデータに基づいてスピンドルモータ２６の出力軸の回転数を演算し、制御信号Ｃｓを形成しそれをスピンドルモータコントローラ２０に供給する。また、マスタコントローラ１４は、ドット配列を構成するバンプの形状をあらわすデータに基づいて所定のプログラムに従いレーザのスポット径およびレーザ出力（光量）を演算し、制御信号ＣｖおよびＣｏを形成しそれらをレーザ加工ヘッドコントローラ１８に供給する。これにより、スピンドルモータコントローラ２０は、制御信号Ｃｓに基づいて駆動制御パルス信号Ｄｐを形成しそれをスピンドルモータ２６に供給する。
【００３５】
また、レーザ加工ヘッドコントローラ１８は、制御信号Ｃｆに基づいてレーザパルスＬＢのパルス間隔を制御すべく、駆動制御パルス信号ＤＨｐをパルスレーザ発振器２２Ｇに供給する。レーザ加工ヘッドコントローラ１８は、制御信号Ｃｏに基づいてレーザのスポット径を所定の値に制御すべく、焦点調整信号ＤＨｆをオートフォーカス機構２２Ｆに供給するとともに、磁気記録媒体２４の表面に到達する光量を所定の一定の値にすべく、制御信号Ｃｖに基づいて光量調整信号ＤＨｂを光量調整部２２Ｒに供給する。
【００３６】
これにより、テクスチャ加工用ヘッド２２は、領域２４ＰＡ内で図１に拡大されて示されるように、スポット径８ｕｍおよび高さ８０（オングストローム）を有するバンプ２４Ｂｂｉ（ｉ＝１〜ｎ，ｎは正の整数）を共通の一つの円周上にドット配列を形成するようにレーザパルスＬＢを照射する。
【００３７】
領域２４ＰＡ内におけるドット配列を構成するバンプ２４Ｂｂｉで表される製造情報として、各磁気記録媒体２４の個別のディスク番号（固有製造番号）をあらわす８桁の番号とした場合について説明する。その固有製造番号が、例えば、“１２３４５６７８”の場合、”・−・−−・−−−  ・−−−−・−−−−−・−−−−−−・−−−−−−−・−−−−−−−−・”となるドット配列が、バンプ２４Ｂｂｉによって領域２４ＰＡ内の一つの円周上に形成される。但し、ドット配列は、”・”はバンプ２４Ｂｂｉを表し、”−”を基本ブランク（空領域）として含んであらわれる。即ち、固有製造番号の各桁の数字は、バンプ間の基本ブランク（−）の数量で表されている。
【００３８】
従って、この固有製造番号では、バンプ２４Ｂｂｉの相互間隔を、基本ブランクの円周方向に沿った長さである１６ｕｍを基本長として、各桁の数字に対応した１６ｕｍの整数倍に制御することにより固有製造番号が領域２４ＰＡ内に記録されることとなる。
【００３９】
例えば、上述の半径Ｒ２を１６ｍｍとしたとき、記録可能な領域の一周分の長さは、約１００ｍｍであり、固有製造番号“１２３４５６７８”の場合、記録領域において円周方向に沿った必要な長さは、１６ｕｍ×３６＝５７６ｕｍである。従って、固有製造番号をあらわすドット配列を、記録領域として十分な１周内に記録可能であることがわかる。また、この変調方式の最大バンプ間距離は、１０個分（１６０ｕｍ）なので、約６００桁の番号を記載可能である。この６００桁の番号は磁気記録媒体の固有製造番号として使用するには、十分な桁数である。この方式を使用することで、固有製造番号の半永久的な記録が可能となる。
【００４０】
なお、上述の例のおいては、領域２４ＰＡにおける記録領域が１周分とされるが、斯かる例に限られることなく、例えば、領域２４ＣＳからクランプ領域２４ＣＡまでの空間的余裕があれば、製造情報が、領域２４ＰＡにおいて複数の円周上にわたる記録も可能である。
【００４１】
また、上述のレーザテクスチャ装置において、テクスチャ加工用ヘッド２２から照射され磁気記録媒体２４の領域２４ＰＡで反射したレーザパルスＬＢを検出し検出出力を送出する反射光検知器と、反射光検知器からの検出出力を解析する反射光解析器と、反射光解析器からの解析出力を表示する表示部とがさらに備えられてもよい。このような場合、反射光解析器が、反射光検知器からの検出出力に基づいて上述の領域２４ＰＡに形成された磁気記録媒体２４の固有製造番号をあらわすバンプ２４Ｂｂｉの配列を解析することにより、磁気記録媒体２４の固有製造番号を自動的に表示部に表示することも可能である。このようにして磁気記録媒体２４に記録した製品情報を自動的に読み取る装置を構成することができる。
【００４２】
製品情報を読み取る装置は、レーザテクスチャ装置とは別に独立して構成することにより、読取機能だけを有した装置とすることもできる。
【００４３】
あるいは、人間による目視にて製品情報を識別することも可能である。図１に示されるように、例えば、固有製造番号をあらわすドット配列における最も端のバンプ２４Ｂｂｉが、隣接する領域２４ＣＳにおけるバンプ２４Ｂａｉに向き合う場合、領域２４ＣＳにおいて、基本ブランク（−）の数量に対応するバンプ２４Ｂａｉが、領域２４ＰＡに隣接して形成されているのでバンプ２４Ｂｂｉ相互間に対応するそのバンプ２４Ｂａｉの個数を参照して基本ブランク（−）の数量（各桁の数字）を顕微鏡下で目視可能である。従って、基本ブランク（−）の数量を確認することにより、その磁気記録媒体２４の固有製造番号を識別することが可能となる。
【００４４】
以上の説明では、理解を容易にするために磁気記録媒体として特定の形状を設定し、半径位置、スポット径等を具体的な数値を用いて説明したが、これらの数値は所望に応じて適切な設定を使用して実施して良いことは無論のことである。
【符号の説明】
【００４５】
１０    指令部
１４    マスタコントローラ
１４Ｍ    データ記憶部
１６    ヘッドドライブコントローラ
１８    レーザ加工ヘッドコントローラ
２０    スピンドルモータコントローラ
２２    テクスチャ加工用ヘッド
２４    磁気記録媒体
２４ＣＳ    領域
２４ＣＡ    クランプ領域
２４ＰＡ    製品情報領域
【図１】
2013004142.tif 000003
【図２】
2013004142.tif 000004
【図３】
2013004142.tif 000005
【図４】
2013004142.tif 000006